(57)【要約】【課題】表土に穴を掘ることなく苗を活着させると共に、雑草の生育を防止することのできるマルチング材を用いた植生工法を提供する。【解決手段】表土を整地する整地工程と、表土に散水する散水工程と、前記表土上に苗を適宜間隔で配置する植苗工程と、前記苗の上からマルチング材を敷き込み、均等な厚さに覆う被覆工程とを備え表土上に苗を活着させるので、表土に穴を掘ることなく苗を活着させると共に、雑草の生育を防止することができる。【選択図】なし【特許請求の範囲】
【請求項１】
表土を整地する整地工程と、
表土に散水する散水工程と、
前記表土上に苗を適宜間隔で配置する植苗工程と、
前記苗の上からマルチング材を敷き込み、均等な厚さに覆う被覆工程とを備え、
表土上に苗を活着させることを特徴とするマルチング材を用いた植生工法。
【請求項２】
前記苗は、発根状態にあるイワダレソウ、ヒメイワダレソウ及びその改良種、芝苗であることを特徴とする請求項１に記載のマルチング材を用いた植生工法。
【請求項３】
前記マルチング材は、樹皮粉粒体、アクリル樹脂エマルジョン、無機系難燃剤を含有することを特徴とする請求項１または２に記載のマルチング材を用いた植生工法。
【請求項４】
前記被覆工程の後に前記マルチング材の上をネット、不織布で覆いアンカーピンで固定し、前記苗及びマルチング材の落下、偏在を防止する固定工程を備えたことを特徴とする請求項１〜３の何れか１に記載のマルチング材を用いた植生工法。
【発明の詳細な説明】
【技術分野】
【０００１】
本発明は、発根状態にあるイワダレソウ、ヒメイワダレソウ及びその改良種、シバ苗等をマルチング材を介して表土に植生し、表土に活着を図るマルチング材を用いた植生工法に関するものである。
なお、本願発明は、今話題になっている太陽光発電装置の地上設置型に応用することができる。
【背景技術】
【０００２】
表土に植栽する場合に、施工時間を短縮すると共に、確実に植栽する工法が要望されている。
従来、表土に苗を植生する方法は例えば、特許文献１に示すように栄養生殖で増殖する植物苗を苗床でマット状に育成したものを数センチ四方に切断して、混合機に投入し、混合機内部で約１０倍以上の容量の客土、水、保水材と混合してスラリー化して、これを客土吹き付け装置により対象位置に吹き付ける方法が提案されている。
また、特許文献２には、イワダレソウを含む緑化基材を貯留する基材タンク、緑化基材を団粒化する団粒剤を貯留する団粒剤タンク、攪拌手段、混合ノズル、圧送手段を備え、法面に吹き付ける方法が提案されている（特許文献２）。
【先行技術文献】
【特許文献】
【０００３】
【特許文献１】特開２０１１−６２１６２号公報
【特許文献２】特開２０１１−１９６０７４号公報
【発明の概要】
【発明が解決しようとする課題】
【０００４】
しかし、従来の特許文献１の場合では、植物苗を苗床でマット状に育成したものを数センチ四方に切断する作業や、混合機内部で約１０倍以上の容量の客土、水、保水材と混合してスラリー化する作業が必要であり、作業が煩雑であった。また、混合作業によって苗が損傷して活着性にも問題があった。
引用文献２の場合では、イワダレソウを含む緑化基材を団粒化する作業が煩雑であると共に、団粒化する作業や混合ノズル、圧送手段によって緑化基材が損傷して活着性にも問題があった。
【０００５】
この発明は、上記したような不都合を解消する為になされ、表土を整地する整地工程と、表土に散水する散水工程と、前記表土上に苗を適宜間隔で配置する植苗工程と、前記苗の上からマルチング材を敷き込み、均等な厚さに覆う被覆工程とを備え、表土上に苗を活着させるので、表土に穴を掘ることなく苗を活着させると共に、活着性を向上して雑草の成育を防止することができる。
【課題を解決するための手段】
【０００６】
この発明は、以下のような内容である。
（１）上記目的を達成するため、本発明は表土を整地する整地工程と、表土に散水する散水工程と、前記表土上に苗を適宜間隔で配置する植苗工程と、前記苗の上からマルチング材を敷き込み、均等な厚さに覆う被覆工程とを備え、表土上に苗を活着させることを特徴とする。
（２）また、前記苗は、発根状態にあるイワダレソウ、ヒメイワダレソウ及びその改良種、芝苗であることを特徴とする。
（３）前記マルチング材は、樹皮粉粒体、アクリル樹脂エマルジョン、無機系難燃剤を含有することを特徴とする。
（４）前記被覆工程の後に前記マルチング材の上をネット、不織布で覆いアンカーピンで固定し、前記苗及びマルチング材の落下、偏在を防止する固定工程を備えたことを特徴とする。
【発明の効果】
【０００７】
本発明は、表土を整地する整地工程と、表土に散水する散水工程と、前記表土上に苗を適宜間隔で配置する植苗工程と、前記苗の上からマルチング材を敷き込み、均等な厚さに覆う被覆工程とを備え、表土上に苗を活着させるので、表土に植栽の為の穴を掘る作業が必要がなく、施工期間を短縮することができる。また、マルチング材の保水効果により植栽後の散水の必要がない。更に、マルチング材の保温効果により、苗の根張り、伸芽作用を促進することができる。また、マルチング材で覆うことにより雑草の発生と土壌構造の改善を図ることができる。
また、前記苗は、発根状態にあるイワダレソウ、ヒメイワダレソウ及びその改良種、芝苗であるので、苗の活着率が向上すると共に、背丈の低い苗が蔓延ることで雑草の発芽を抑制することができる。
また、前記マルチング材は、樹皮粉粒体、アクリル樹脂エマルジョン、無機系難燃剤を含有するので、マルチング材の保水性を向上すると共に、施工後の散水作業を必要とすることなく苗の活着を図ることができる。
また、前記被覆工程の後に前記マルチング材の上をネット、不織布で覆いアンカーピンで固定し、前記苗及びマルチング材の落下、偏在を防止する固定工程を備えたので、マルチング材の飛散を防止できると共に、傾斜を有する場所に設置してもマルチング材が偏る虞がない。
【発明を実施するための形態】
【０００８】
本発明のマルチング材を用いた植生工法は、表土を整地する整地工程と、表土に散水する散水工程と、前記表土上に苗を適宜間隔で配置する植苗工程と、前記苗の上からマルチング材を敷き込み、均等な厚さに覆う被覆工程とを備え、表土上に苗を活着させるので、表土に穴を掘ることなく苗を活着させると共に、雑草の生育を防止することができる
【実施例１】
【０００９】
以下、一実施の形態を詳細に説明する。ここでマルチング材を用いた植生工法１０は、表土を整地する整地工程１１と、表土に散水する散水工程１２と、前記表土上に苗を適宜間隔で配置する植苗工程１３と、前記苗の上からマルチング材を敷き込み、均等な厚さに覆う被覆工程１４とを備えている。
【００１０】
整地工程１１は、凹凸のある表土を機械或いは、人力で均等に整地する。機械を使用する場合は、トラクター、耕耘機等の既存の農耕機械を使用し、除草と苗の植栽に適するように整地する。また、表土の特性に応じて、ｐＨの調整や肥料の散布を行う。
【００１１】
散水工程１２は、整地の済んだ表土に散水スプレー等で均一に散水して、水分を加える。この際、表土が傾斜している場合には、散水によって表土が流れ出さないように注意する。
【００１２】
植苗工程１３は、整地した表土に穴を掘ることなく、所定の間隔で載置してゆく。載置の間隔は、環境に応じて決定する。苗は、ポット苗、ほぐし苗、カットランナー等を使用する。また、苗には発根状態にあるイワダレソウ、ヒメイワダレソウ及びその改良種、芝苗等の背丈３cm程度のものを使用する。イワダレソウの類は、成長しても矮小化し、背丈が低いので、周囲の支障となる虞がない。特に、太陽光発電装置の下に施工すれば、雑草の生育を防止することができる。また、防草シートを使用した場合に比べて、発電セルモジュールの温度上昇を防止することができる。更に、イワダレソウの類から生じる潜熱により発電セルモジュールの温度上昇を防止できる。尚、苗は発根状態にある必要があり、種子ではマルチング材中で発芽できない。したがって、種子で飛来する雑草の繁茂を防止することができる。
【００１３】
被覆工程１４は、樹皮粉粒体、アクリル樹脂エマルジョン、無機系難燃剤を含むマルチング材を苗の上から厚さ５cm程度に敷き込む。したがって、マルチング材が苗の上を２cm程度覆う。マルチング材は、樹皮粉粒体、アクリル樹脂エマルジョン、無機系難燃剤を含有している。なお、マルチング材は、植栽後の苗の活着、成長を助ける保護材として機能する。
【００１４】
また、被覆工程１４の後にマルチング材の上をネット、不織布で覆いアンカーピンで固定し、前記苗及びマルチング材の落下、偏在を防止する固定工程１５を設けてもよい。固定工程１５は、被覆工程の後に前記マルチング材の上をネット、不織布で覆いアンカーピンで固定し、前記苗及びマルチング材の落下、偏在を防止する。この際、苗はマルチング材の表面から突出していないので不織布の張り込み作業が容易である。
【００１５】
また、本願発明のマルチング材を用いた植生工法を太陽光発電装置の地上設置型に使用した場合、太陽光発電装置の直下及び周囲に雑草が繁茂するのを防止することができ、雑草刈り取りの手間が著しく低減する。
また、太陽光発電装置の下に雑草防止シートを張り巡らせた場合には、発電セルモジュールの温度が上昇し、発電量が低下するという問題が存在したが本願発明のマルチング材を用いた植生工法では、温度が上昇を抑制できる。更に、イワダレソウ等は、繁茂しても背丈の低い矮性植物なので、刈り取りの手間が掛からない。
【００１６】
本発明のマルチング材を用いた植生工法は、道路工事の法面、休耕田、太陽光発電装置周囲の雑草対策として広く使用することができる。
【符号の説明】
【００１７】
１０    マルチング材を用いた植生工法
１１    整地工程
１２    散水工程
１３    植苗工程
１４    被覆工程
１５    固定工程